(57)【要約】【課題】  上方圧力ボトルが受ける内圧を調整でき、ユーザが上方圧力ボトルの全ての部材を容易に洗浄できるバブルウォータマシンを提供する。【解決手段】  本発明のバブルウォータマシンは、圧力ボトルと充気手段を含む。圧力ボトルは、第１収容体、第１接続ベース、第１エアプラグ、第１圧力部材、バルブ部材、第２エアプラグ、第２圧力部材、回転圧力開放部材、上方位置決め部材、気体ガイド部材、下方位置決め部材、及び止水栓を含む。また、充気手段は、第２接続ベース、上方中間部材、下方中間部材及び充気ボトルを含む。【選択図】図３Ｂ
2020199254.tif 000002
【特許請求の範囲】
【請求項１】
底部に上端螺合部及び下端螺合部を含む第１収容体と、
前記第１収容体の上端に螺合され、第１圧力開放領域を含み、前記第１圧力開放領域は第１ベントチャネルを含む第１接続ベースと、
底部が第１ベントチャネルを覆う第１エアプラグと、
内部に前記第１エアプラグの上端が嵌め込まれる第１圧力部材と、
前記第１圧力開放領域に螺合され、前記バルブ部材は第２ベントチャネルとバルブ螺合部を含み、前記第１圧力部材に当接するバルブ部材と、
底部が第２ベントチャネルを覆う第２エアプラグと、
内部に前記第２エアプラグの上端が嵌め込まれる第２圧力部材と、
バルブ螺合部に螺合され、第３ベントチャネルを含み、前記第２圧力部材に当接する回転圧力開放部材と、
前記上端螺合部に螺合される上方位置決め部材と、
上方位置決め部材内に設置され、底部に平衡圧力構造を有する気体ガイド部材と、
下端螺合部に螺合され、第１吸気チャネルを含む下方位置決め部材と、
上部に前記平衡圧力構造が当接し、且つ底部が前記第１吸気チャネルを覆う止水栓と、
を含む圧力ボトルと、
前記第１収容体の下端によって係合され、少なくとも１つの円柱状ブロックを含む第２接続ベースと、
第２吸気チャネル及び少なくとも１つの第１収容溝を含み、前記第２吸気チャネルは前記第１吸気チャネルに導通され、前記円柱状ブロックは前記第１収容溝内に嵌め込まれる上方中間部材と、
前記上方中間部材に接続され、第３吸気チャネルを含み、前記第３吸気チャネルは第２吸気チャネルと導通される下方中間部材と、
ジェットラインを含み、且つ前記ジェットラインは前記第３吸気チャネルに嵌め込まれる充気ボトルと、
を含む充気手段と、
を含むバブルウォータマシン。
【請求項２】
前記バルブ部材の前記第１圧力部材に当接する下向きの圧力は、前記回転圧力開放部材の前記第２圧力部材に当接する下向きの圧力よりも小さい請求項１に記載のバブルウォータマシン。
【請求項３】
前記圧力ボトルはキャップを更に含み、前記キャップはベントスイッチとキャップエアプラグを含み、前記ベントスイッチは前記キャップエアプラグの上部に当接し、前記第１接続ベースはキャップベントチャネルを更に含み、前記ベントスイッチが閉鎖される時、前記キャップエアプラグが前記キャップベントチャネルを覆い、前記ベントスイッチが開放される時、前記キャップエアプラグは前記キャップベントチャネルを覆うことができない請求項１に記載のバブルウォータマシン。
【請求項４】
前記バルブ部材は貯水空間を更に含み、前記貯水空間は前記第２ベントチャネルを囲む請求項１に記載のバブルウォータマシン。
【請求項５】
前記気体ガイド部材は、複数のガイドチャネルを更に含み、前記複数のガイドチャネルは、放射状の態様を呈し、前記複数のガイドチャネルの長さは互いに異なる請求項１に記載のバブルウォータマシン。
【請求項６】
底部に上端螺合部及び下端螺合部を含む第１収容体と、
前記第１収容体の上端に螺合され、第１圧力開放領域を含み、前記第１圧力開放領域は第１ベントチャネルを含む第１接続ベースと、
底部が第１ベントチャネルを覆う第１エアプラグと、
内部に前記第１エアプラグの上端が嵌め込まれる第１圧力部材と、
前記第１圧力開放領域に螺合され、前記バルブ部材は第２ベントチャネルとバルブ螺合部を含み、前記第１圧力部材に当接するバルブ部材と、
底部が第２ベントチャネルを覆う第２エアプラグと、
内部に前記第２エアプラグの上端が嵌め込まれる第２圧力部材と、
バルブ螺合部に螺合され、第３ベントチャネルを含み、前記第２圧力部材に当接する回転圧力開放部材と、
を含む圧力ボトル。
【請求項７】
前記バルブ部材の前記第１圧力部材に当接する下向きの圧力は、前記回転圧力開放部材の前記第２圧力部材に当接する下向きの圧力よりも小さい請求項６に記載の圧力ボトル。
【請求項８】
前記上端螺合部に螺合される上方位置決め部材と、
上方位置決め部材内に設置され、底部に平衡圧力構造を有する気体ガイド部材と、
下端螺合部に螺合され、第１吸気チャネルを含む下方位置決め部材と、
上部に前記平衡圧力構造が当接し、且つ底部が前記第１吸気チャネルを覆う止水栓と、
を更に含む請求項６に記載の圧力ボトル。
【請求項９】
前記バルブ部材は、貯水空間を更に含み、前記貯水空間は前記第２ベントチャネルを囲む請求項６に記載の圧力ボトル。
【請求項１０】
前記圧力ボトルはキャップを更に含み、前記キャップはベントスイッチとキャップエアプラグを含み、前記ベントスイッチは前記キャップエアプラグの上部に当接し、前記第１接続ベースはキャップベントチャネルを更に含み、前記ベントスイッチが閉鎖される時、前記キャップエアプラグが前記キャップベントチャネルを覆い、前記ベントスイッチが開放される時、前記キャップエアプラグは前記キャップベントチャネルを覆うことができない請求項６に記載の圧力ボトル。
【発明の詳細な説明】
【技術分野】
【０００１】
本発明は、バブルウォータマシン及び圧力ボトルに関し、特にバルブ部材及び回転圧力開放部材を有するバブルウォータマシン及び圧力ボトルに関する。
【背景技術】
【０００２】
図１を参照し、図１が示すのは、特許文献１（台湾特許Ｉ６１８５１４）のバブルウォータマシンの第１収容溝２１８１及び第１圧力開放部材２１の９断面図であり、第１収容溝２１８１内には第１圧力開放部材２１９が設けられ、第１圧力開放部材２１９は、第１螺合部材２１９１、第１当接部材２１９２及び第１バネ部材２１９を含み、過剰な気体を除去し、バブルウォータマシンの内圧の解放を補助するために使用される。但し、液体８のシロップは第１バネ部材２１９３に付着し易いため、ユーザが第１圧力開放部材２１９を洗浄することは容易ではない。また、第１圧力開放部材２１９が耐えられる圧力の大きさを調整することもできない。
【０００３】
従って、上記の台湾特許Ｉ６１８５１４のバブルウォータマシンをどのように改善するかは、当業者が検討するに値することである。
【先行技術文献】
【特許文献】
【０００４】
【特許文献１】台湾特許Ｉ６１８５１４
【発明の概要】
【発明が解決しようとする課題】
【０００５】
本発明の目的は、上方圧力ボトルが受ける内圧を調整することができ、ユーザが上方圧力ボトルの全ての部材を容易に洗浄することができるバブルウォータマシンを提供することである。
【０００６】
本発明の別の目的は、自身が受ける内部圧力を調整することができ、ユーザが圧力ボトルの全ての部材を容易に洗浄することができる圧力ボトルを提供することである。
【課題を解決するための手段】
【０００７】
本発明のバブルウォータマシンは、圧力ボトルと充気手段を含む。圧力ボトルは、第１収容体、第１接続ベース、第１エアプラグ、第１圧力部材、バルブ部材、第２エアプラグ、第２圧力部材、回転圧力開放部材、上方位置決め部材、気体ガイド部材、下方位置決め部材、止水栓を含む。ここで、第１収容体の底部は、上端螺合部及び下端螺合部を含む。第１接続ベースは第１収容体の上端に螺合され、第１接続ベースは第１圧力開放領域を含み、第１圧力開放領域は第１ベントチャネルを含む。第１エアプラグの底部は第１ベントチャネルを覆い、第１エアプラグの上部は第１圧力部材に嵌め込まれる。バルブ部材は第１圧力開放領域に螺合され、バルブ部材は第２ベントチャネルとバルブ螺合部を含み、バルブ部材は第１圧力部材に当接する。第２エアプラグの底部は第２ベントチャネルを覆い、第２エアプラグの上端は第２圧力部材内に嵌め込まれる。回転圧力開放部材はバルブ螺合部に螺合され、回転圧力開放部材は第３ベントチャネルを含み、回転圧力開放部材は第２圧力部材に当接する。上方位置決め部材は上端螺合部に螺合される。気体ガイド部材は上方位置決め部材内に設置され、気体ガイド部材の底部は平衡圧力構造を有する。下方位置決め部材は下端螺合部に螺合され、下方位置決め部材は第１吸気チャネルを含む。平衡圧力構造は止水栓の上部に当接し、止水栓の底部は第１吸気チャネルを覆う。また、充気手段は第２接続ベース、上方中間部材、下方中間部材及び充気ボトルを含む。第１収容体の下端は第２接続ベースと係合し、且つ第２接続ベースは少なくとも１つの円柱状ブロックを含む。上方中間部材は第２吸気チャネルと少なくとも１つの第１収容溝を含み、第２吸気チャネルは第１吸気チャネルと導通され、円柱状ブロックは第１収容溝内に嵌め込まれる。下方中間部材は上方中間部材に接続され、下方中間部材は第３吸気チャネルを含み、第３吸気チャネルは第２吸気チャネルに導通される。充気ボトルはジェットラインを含み、ジェットラインは第３吸気チャネルに嵌め込まれる。 
【０００８】
上記バブルウォータマシンにおいて、バルブ部材の前記第１圧力部材に当接する下向きの圧力は、前記回転圧力開放部材の前記第２圧力部材に当接する下向きの圧力よりも小さい。
【０００９】
上記バブルウォータマシンにおいて、圧力ボトルはキャップを更に含み、前記キャップはベントスイッチとキャップエアプラグを含み、前記ベントスイッチは前記キャップエアプラグの上部に当接し、前記第１接続ベースはキャップベントチャネルを更に含み、前記ベントスイッチが閉鎖される時、前記キャップエアプラグが前記キャップベントチャネルを覆い、前記ベントスイッチが開放される時、前記キャップエアプラグは前記キャップベントチャネルを覆うことができない。
【００１０】
上記バブルウォータマシンにおいて、バルブ部材は貯水空間を更に含み、前記貯水空間は前記第２ベントチャネルを囲む。
【００１１】
上記バブルウォータマシンにおいて、前記気体ガイド部材は、複数のガイドチャネルを更に含み、前記複数のガイドチャネルは、放射状の態様を呈し、前記複数のガイドチャネルの長さは互いに異なる。
【００１２】
本発明の圧力ボトルは、第１収容体、第１接続ベース、第１エアプラグ、第１圧力部材、バルブ部材、第２エアプラグ、第２圧力部材及び回転圧力開放部材を含む。ここで、第１収容体の底部は、上端螺合部及び下端螺合部を含む。第１接続ベースは第１収容体の上端に螺合され、第１接続ベースは第１圧力開放領域を含み、第１圧力開放領域は第１ベントチャネルを含む。第１エアプラグの底部は第１ベントチャネルを覆う。第１エアプラグの上部は前記第１圧力部材に嵌め込まれる。バルブ部材は第１圧力開放領域に螺合され、バルブ部材は第２ベントチャネルとバルブ螺合部を含み、バルブ部材は第１圧力部材に当接する。第２エアプラグの底部は第２ベントチャネルを覆う。第２エアプラグの上端は第２圧力部材内に嵌め込まれる。回転圧力開放部材はバルブ螺合部に螺合され、回転圧力開放部材は第３ベントチャネルを含み、回転圧力開放部材は第２圧力部材に当接する。
【００１３】
上記圧力ボトルにおいて、バルブ部材の前記第１圧力部材に当接する下向きの圧力は、前記回転圧力開放部材の前記第２圧力部材に当接する下向きの圧力よりも小さい。
【００１４】
上記圧力ボトルは、上方位置決め部材、気体ガイド部材、下方位置決め部材及び止水栓を更に含む。上方位置決め部材は上部のねじ接続に螺合される。気体ガイド部材は上方位置決め部材に設置され、気体ガイド部材の底部は平衡圧力構造を有する。下方位置決め部材は下端螺合部に螺合され、下方位置決め部材は第１吸気チャネルを含む。さらに、平衡圧力構造は止水栓の上部に当接し、止水栓の底部は第１吸気チャネルを覆う。
【００１５】
上記圧力ボトルにおいて、前記バルブ部材は貯水空間を更に含み、前記貯水空間は第２ベントチャネルを囲む。
【００１６】
上記圧力ボトルは、キャップを更に含み、前記キャップはベントスイッチとキャップエアプラグを含み、前記ベントスイッチは前記キャップエアプラグの上部に当接し、前記第１接続ベースはキャップベントチャネルを更に含み、前記ベントスイッチが閉鎖される時、前記キャップエアプラグが前記キャップベントチャネルを覆い、前記ベントスイッチが開放される時、前記キャップエアプラグは前記キャップベントチャネルを覆うことができない。
【発明の効果】
【００１７】
本発明のバブルウォータマシンは、上方圧力ボトルが受ける内圧を調整することができ、ユーザが上方圧力ボトルの全ての部材を容易に洗浄することができる。
【図面の簡単な説明】
【００１８】
【図１】台湾特許Ｉ６１８５１４の第１収容溝２１８１と第１圧力開放部材２１９の断面図である。
【図２】本実施形態のバブルウォータマシン３の斜視図である。
【図３Ａ】バブルウォータマシン３の正面図である。
【図３Ｂ】図３Ａのバブルウォータマシン３のＡ‐Ａ断面図である。
【図３Ｃ】図３Ｂ中のＸでマークする部分の拡大図である。
【図３Ｄ】気体ガイド部材４８の異なる角度の斜視図である。
【図３Ｅ】キャップ４０の断面図である。
【図３Ｆ】第１接続ベース４２の斜視図である。
【図３Ｇ】ベントスイッチ４０１がオンにされた時の説明図である。
【図３Ｈ】第１圧力部材４３１に嵌め込まれた第１エアプラグ４３の異なる角度の斜視図である。
【図３Ｉ】バルブ部材４４の異なる角度の斜視図である。
【図３Ｊ】第２圧力部材４５１に嵌め込まれた第２エアプラグ４５の異なる角度の斜視図である。
【図３Ｋ】回転圧力開放部材４６の異なる角度の斜視図である。
【図３Ｌ】異なるタイプの気体ガイド部材４８の斜視図である。
【図４Ａ】バブルウォータマシン３の左側面図である。
【図４Ｂ】図４Ａのバブルウォータマシン３のＢ−Ｂ断面図である。
【図４Ｃ】図４ＢにおいてＹでマークする部分の拡大図である。
【図４Ｄ】第１収容体４１の底部を単独で示す断面図である。
【図４Ｅ】下方位置決め部材４９を単独で示す断面図である。
【図４Ｆ】上方中間部材５２の異なる角度の斜視図である。
【図４Ｇ】下方中間部材５３を単独で示す断面図である。
【図４Ｈ】下方中間部材５３及び上方中間部材５２の斜視図である。
【図５Ａ】Ｗ型構造５２Ｗに対するＬ型リンケージ５４の斜視図である。
【図５Ｂ】Ｌ型リンケージ５４を下方に移動するように駆動する上方中間部材５２の斜視説明図である。
【図５Ｃ】下方被覆殻体５７を通過するＬ型リンケージ５４の説明図である。
【図５Ｄ】下方被覆殻体５７の斜視図である。
【図６Ａ】上方被覆殻体５８の異なる角度の斜視図である。
【図６Ｂ】上方被覆殻体５８の内部に組み付けられた上方中間部材５２の説明図である。
【発明を実施するための形態】
【００１９】
上記の特徴及び利点をより分かり易くするために、以下が特に好ましい実施形態であり、添付の図面と併せて、詳細な説明は以下の通りである。
【００２０】
図２、図３Ａ、図３Ｂ及び図３Ｃを参照し、図２は、本実施形態におけるバブルウォータマシン３の斜視図を示し、図３Ａは、バブルウォータマシン３の正面図を示し、図３Ｂは、図３Ａのバブルウォータマシン３のＡ‐Ａ断面図であり、図３Ｃは、図３ＢのＸでマークされた部分の拡大図である。
【００２１】
本実施形態のバブルウォータマシン３は圧力ボトル４と充気手段５を含む。圧力ボトル４はキャップ４０、第１収容体４１、第１接続ベース４２、第１エアプラグ４３、第１圧力部材４３１、バルブ部材４４、第２エアプラグ４５、第２圧力部材４５１、回転圧力開放部材４６、上方位置決め部材４７、気体ガイド部材４８（図３Ｄ参照し、図３Ｄが示すのは気体ガイド部材４８の斜視図である）、下方位置決め部材４９及び止水栓４９０を含む。このうち、第１収容体４１は液体８を収容するために使用され、液体８は、例えば、飲料水、糖分添加物を含む飲料、またはアルコール飲料である。
【００２２】
図３Ｅを参照し、図３Ｅは、キャップ４０の断面図であり、キャップ４０は、ベントスイッチ４０１とキャップエアプラグ４０２を含み、ベントスイッチ４０１はキャップエアプラグ４０２の上部に当接する。
【００２３】
また、図３Ｃと図３Ｆを同時に参照し、図３Ｆは第１接続ベース４２の斜視図である。第１接続ベース４２は第１収容体４１の上端に螺合され、第１接続ベース４２は第１圧力開放領域４２０とキャップベントチャネル４２２を含み、第１圧力開放領域４２０は第１ベントチャネル４２１を含む。ベントスイッチ４０１がオフされる時、キャップエアプラグ４０２がキャップベントチャネル４２２を覆い、圧力ボトル４の気体の漏れを防止する。その後、図３Ｇを参照し、図３Ｇは、ベントスイッチ４０１がオンにされる時の説明図であり、ベントスイッチ４０１がオンにされる時、キャップエアプラグ４０２はキャップベントチャネル４２２を完全に覆うことができない。このように、ベントスイッチ４０１は圧力ボトル４が先に幾らかの気体を解放して圧力を解放するのを補助することができるので、ユーザがキャップ４０を開く時、比較的大きな気体圧力の衝撃を受けることを回避することができる。
【００２４】
さらに、第１エアプラグ４３の底部は第１ベントチャネル４２１を覆い、第１エアプラグ４３の上端は第１圧力部材４３１内に嵌め込まれる（図３Ｈを参照し、図３Ｈが示すのは第１圧力部材４３１に嵌め込まれた第１エアプラグ４３の異なる角度の斜視図である）。
【００２５】
再び図３Ｃと図３Ｉを同時に参照し、図３Ｉは、バルブ部材４４の異なる角度の斜視図であり、バルブ部材４４は第１圧力開放領域４２０内に螺合され、バルブ部材４４は第２ベントチャネル４４１、バルブの螺合部４４２及び貯水空間４４３を含み、バルブ部材４４は下向きに第１圧力部材４３１に当接されるため、第１圧力部材４３１は第１エアプラグ４３を駆動して第１ベントチャネル４２１を緊密に密閉することができる。また、第１収容体４１の内圧が高すぎる時、第１圧力部材４３１と第１エアプラグ４３は気体又は液体８の上向きの圧力に抵抗することができなくなり、第１エアプラグ４３は第１ベントチャネル４２１を完全にシールできなくなる。従って、過剰な気体又は少しの液体８が第１ベントチャネル４２１から貯水空間４４３及び第２ベントチャネル４４１に流れる可能性がある。
【００２６】
図３Ｊを参照し、図３Ｊは、第２圧力部材４５１に嵌め込まれた第２エアプラグ４５の斜視図であり、第２エアプラグ４５の底部は第２ベントチャネル４４１を覆い、第２エアプラグ４５の上端は第２圧力部材４５１内に嵌め込まれる。
【００２７】
再度図３Ｃと図３Ｋを同時に参照し、図３Ｋは、回転圧力開放部材４６の異なる角度の斜視図であり、回転圧力開放部材４６は、バルブ螺合部４４２に螺合され、回転圧力開放部材４６は、第３ベントチャネル４６１を含み、且つ回転圧力開放部材４６及びバルブ部材４４が完全に締められた状態である時、回転圧力開放部材４６は、最大の下向きの圧力を提供して第２圧力部材４５１を下向きに追従させる。従って、第２圧力部材４５１も第２エアプラグ４５に第２ベントチャネル４４１を緊密に密閉させる。
【００２８】
また、第１収容体４１内の気体が第２ベントチャネル４４１に入る時、第２エアプラグ４５が気体の圧迫を受けて第２圧力部材４５１を押し上げ、第２エアプラグ４５が導通状態になる。その後、気体は第３ベントチャネル４６１を経由してボトル外部に放出される。従って、回転圧力開放部材４６、第２エアプラグ４５及び第２圧力部材４５１は過剰な気体を排除して圧力の解放を補助し、従って、第１収容体４１の内圧は安定した状態を維持することができる。従来の第１圧力開放部材２１９と比較し、本実施形態は、回転圧力開放部材４６が分解されていれば、回転圧力開放部材４６、第２エアプラグ４５及び第２圧力部材４５１は非常に簡単に洗浄でき、シロップも上記部材に付着し難い。
【００２９】
上記において、回転圧力開放部材４６とバルブ部材４４が完全に締められている時、バルブ部材４４の第１圧力部材４３１に当接する下向きの圧力は、回転圧力開放部材４６の第２圧力部材４５１に当接する下向きの圧力よりも小さくなる。言い換えれば、第２エアプラグ４５が第２ベントチャネル４４１を密閉する力は、第１エアプラグ４３が第１ベントチャネル４２１を密閉する力よりも強くなる。このように、第１収容体４１の内圧が比較的高い時、第１エアプラグ４３は第１収容体４１内の液体を遮断することができないが、第２エアプラグ４５は気体の外への流出を阻止することができる。さらに、一定時間を経た後、貯水空間４４３と第２ベントチャネル４４１によって形成される内圧は第１収容体４１の内圧と等しくなる（２つの領域の圧力が均衡する）。このように、第１エアプラグ４３は元の位置に戻り、第１収容体４１内の気体又は液体８を遮断する。
【００３０】
また、圧力ボトル４を横にするか、上下逆にする時、第２ベントチャネル４４１から流出した液体８もバルブ部材４４の外周に向かって流れるため、液体８は貯水空間４４３内に集中し、この時、貯水空間４４３の機能は小型の水槽のようなものである。従って、液体８は第２ベントチャネル４４１から回転圧力開放部材４６に流れるか、または第３ベントチャネル４６１から更に外部へオーバーフローすることが容易ではない。
【００３１】
さらに、回転圧力開放部材４６はバルブ部材４４に螺合によって組み付けられるため、回転圧力開放部材４６のねじ込みの締め付けを調整することで第２エアプラグ４５が耐えられる圧力の大きさを同時に変更することができる。具体的には、回転圧力開放部材４６の締め付け度合いが緩い時、第２エアプラグ４５が耐えられる上向きの圧力は小さくなる。逆に、回転圧力開放部材４６の締め付け度がきつい時、第２エアプラグ４５が耐えられる上向きの圧力が大きくなり、気体が漏れにくくなる。従って、回転圧力開放部材４６を介して圧力ボトル４の圧力を調整することで、バブルウォータの口当たりにも影響を与えることができる。従って、台湾特許Ｉ６１８５１４の第１圧力開放部材２１９と比較し、本実施形態の回転圧力開放部材４６は、第２エアプラグ４５（第２エアプラグ４５も過剰な気体を排除し、圧力の解放を補助することができる）が耐えられる圧力の大きさを調整することができる。
【００３２】
さらに、再度図３Ｄを参照し、気体ガイド部材４８は上方位置決め部材４７に設置され（図４Ｃ参照）、気体ガイド部材４８は複数のガイドチャネル４８１を更に含み、これらのガイドチャネル４８１は放射状の態様を呈し、且つこれらのガイドチャネル４８１の長さはさまざまである。このように、噴射された気体が気体ガイド部材４８を通過する時、ガイドチャネル４８１は、気体（気泡）を第１収容体４１に均一に分散させることができ、気泡は、液体８内に均一に融合される。さらに、水中に二酸化炭素が集結して大きな気泡を形成することを回避し、更に二酸化炭素の溶解率を改善することができる。さらに、図３Ｌを参照し、図３Ｌは、異なる形態の気体ガイド部材４８の斜視図である。図３Ｄに示される形態の気体ガイド部材４８に加えて、図３Ｌに示される気体ガイド部材４８も同様に気体（気泡）が第１収容体４１内に均一に分散することを補助することができる。
【００３３】
図４Ａ、図４Ｂ、図４Ｃ及び図４Ｄを参照し、図４Ａは、バブルウォータマシン３の左側面図であり、図４Ｂは、図４Ａのバブルウォータマシン３のＢ−Ｂ断面図であり、図４Ｃは、図４ＢのＹでマークする部分の拡大図であり、図４Ｄは、第１収容体４１の底部を単独で示す断面図である。第１収容体４１の底部は、上端螺合部４１Ｕと下端螺合部４１Ｌを含み、上方位置決め部材４７は上端螺合部４１Ｕに螺合され、下方位置決め部材４９は下端螺合部４１Ｌに螺合され、下方位置決め部材４９は第１吸気チャネル４９１を含む（図４Ｅを参照し、図４Ｅは下方位置決め部材４９を単独で示す断面図である）。
【００３４】
さらに、気体ガイド部材４８の底部は平衡圧力構造４８０を有し、平衡圧力構造４８０はＵ型板状構造４８０Ｕ及びストリップ板状構造４８０Ｌ（図３Ｄ参照）で構成され、Ｕ型板状構造４８０Ｕ及びストリップ板状構造４８０Ｌは何れも弾性体である。その中で、ストリップ板状構造４８０Ｌは止水栓４９０の上部の中心に当接し、Ｕ型板状構造４８０Ｕは止水栓４９０の上部の非中心に当接する。従って、止水栓４９０が平衡圧力構造４８０の下向きの推力を受ける時、止水栓４９０の底部が第１吸気チャネル４９１を覆う（図４Ｃ及び図４Ｅを参照）。
【００３５】
再び図４Ｂ及び図４Ｃを参照し、充気手段５は、第２収容体５０、第２接続ベース５１、上方中間部材５２、下方中間部材５３、Ｌ型リンケージ５４、シリンダ始動スイッチ５５、充気ボトル５６、下方被覆殻体５７、及び上方被覆殻体５８を含む。第２収容体５０は充気ボトル５６を覆い、第１収容体４１の下端は第２接続ベース５１と係合し、第２接続ベース５１は少なくとも１つの円柱状ブロック５１Ｃを含む。
【００３６】
図４Ｃ及び４Ｆを参照し、図４Ｆは、上方中間部材５２の異なる角度の斜視図であり、上方中間部材５２は第２吸気チャネル５２１、少なくとも第１収容溝５２２及び２つのプッシュブロック５２３を含み、第２吸気チャネル５２１及び第１吸気通路４９１が導通され、第２接続ベース５１の円柱状ブロック５１Ｃは第１収容溝５２２内に嵌め込まれる。また、上方中間部材５２の底端は２つの対称なＷ型構造５２Ｗを更に含む。
【００３７】
また、図４Ｇ及び図４Ｈを参照し、図４Ｇは、下方中間部材５３を単独で示す断面図であり、図４Ｈは、下方中間部材５３及び上方中間部材５２の斜視図である。下方中間部材５３は上方中間部材５２に接続され、下方中間部材５３は第３吸気チャネル５３１を含み、第３吸気チャネル５３１と第２吸気チャネル５２１は互いに導通される（図４Ｃ参照）。
【００３８】
図５Ａ、図５Ｂ、図５Ｃ及び図５Ｄを参照し、図５Ａは、Ｗ型構造５２Ｗに当接するＬ型リンケージ５４の斜視説明図であり、図５Ｂは、Ｌ型リンケージ５４の下向きの移動を連動する上方中間部材５２の立体説明図であり、図５Ｃは、下方被覆殻体５７を通過するＬ型リンケージ５４の説明図であり、図５Ｄは、下方被覆殻体５７の斜視図である。Ｌ型リンケージ５４の一端はＷ型構造５２Ｗに当接しており、Ｌ型リンケージ５４の他端は気体ボトル始動スイッチ５５に接続される。また、図４Ｂを再度参照し、充気ボトル５６は、気体ボトルシンブル５６Ｎ及びジェットライン５６Ｐを含み、ジェットライン５６Ｐの一端は、下方中間部材５３の第３吸気チャネル５３１に嵌め込まれる。さらに、図５Ｃと図５Ｄを再度参照し、下方被覆殻体５７は上方中間部材５２の下方に配置され、その体積の一部は上方中間部材５２で覆われ、下方被覆殻体５７は２つの対称的な直線状貫通孔５７１を有し、Ｌ型リンケージ５４は上記の２つの直線状貫通孔５７１を通過する。このように、Ｌ型リンケージ５４は直線状貫通孔５７１内で直線的な上下移動のみを行うことができる。
【００３９】
圧力ボトル４がユーザにより回転される時、第１収容体４１は上方中間部材５２と連動して回転する。その後、上方中間部材５２はＬ型リンケージ５４の下向きの移動を駆動する。詳細には、上方中間部材５２が回転する前は、Ｌ型リンケージ５４は、最初、Ｗ型構造５２Ｗの最上端にあり、上方中間部材５２が回転された後、Ｌ型リンケージ５４はＷ型構造５２Ｗの底端に近接する箇所に下向きに移動する（図５Ｂを再度参照）。また、Ｌ型リンケージ５４は直線状の直通穴５７１の移動制限を受けるため、Ｌ型リンケージ５４は直線的に下方に移動する。
【００４０】
その後、Ｌ型リンケージ５４が下向きに移動する時、Ｌ型リンケージ５４は、気体ボトル始動スイッチ５５を引き下げ、気体ボトル始動スイッチ５５を気体ボトルシンブル５６Ｎに接触させる（図５Ｂを再度参照）。このように、充気ボトル５６内の気体は、ジェットライン５６Ｐを介して第３吸気チャネル５３１に噴射され、且つ該気体は、第３吸気チャネル５３１を介して第２吸気チャネル５２１に送られる（再び図４Ｃを参照）。
【００４１】
その後、再び図４Ｃを参照し、該気体は、第２吸気チャネル５２１を介して第１吸気チャネル４９１に送られる。その後、止水栓４９０が該気体の圧迫を受けて平衡圧力構造４８０を押し上げるため、第１吸気チャネル４９１は導通状態になる。続いて、該気体は、第１吸気チャネル４９１を介して気体ガイド部材４８に送られる。その後、該気体は液体８に均一に分散される。このように、該気体を受け取った液体８は、バブルウォータ、糖分添加物を含む炭酸飲料、またはアルコールを含む炭酸飲料に変換され、該気体は液体８を上向きに駆動してキャップ４０まで衝撃を与えるため、液体８（糖分又はアルコールを含む炭酸飲料）は下向きに充気手段５内に戻ることがない。
【００４２】
さらに、本発明は、Ｌ型リンケージ５４の連動設計により、バブルウォータマシン３の充気ボトル５６は圧力ボトル４の側辺に設置し易くなっているため、充気ボトル５６の体積が大きすぎる時も、バブルウォータマシン３の全体の高さが過度に高くはならない。従って、充気ボトル５６はより多くの気体（二酸化炭素）を貯蔵することができる。
【００４３】
図４Ｃ、図４Ｇ、及び図４Ｈを再度参照し、下方中間部材５３は少なくとも１つの圧力開放部材５３２を更に含み（本実施形態は３つの圧力開放部材５３２を例とする）、圧力開放部材５３２は、第２収容溝５３２１、螺合部材５３２２、当接部５３２３及びバネ部材５３２４を含み、第２収容溝５３２１は、ベントホール５３２１Ｈを含む。螺合部材５３２２は、第２収容溝５３２１の一端に螺合され、螺合部材５３２２は、貫通孔５３２２Ｈを含む。また、当接部５３２３は、第２収容溝５３２１の他端に収容され、バネ部材５３２４の一端は、螺合部材５３２２に当接し、バネ部材５３２４の他端は、当接部５３２３に当接し、当接部５３２３はバネ部材５３２４の弾性力によりベントホール５３２１Ｈを閉じる。このように、ジェットライン５６Ｐから噴出される気体が多すぎる時（充気ボトル５６から放出される気体が多すぎる時）、複数の圧力開放部材５３２は、貫通孔５３２２Ｈから過剰な気体を除去して圧力の解放を補助することができる。
【００４４】
再び図４Ｃ、図６Ａ及び図６Ｂを参照し、図６Ａは上方被覆殻体５８の異なる角度の斜視図であり、図６Ｂは上方被覆殻体５８内に組み付けられた上方中間部材５２の説明図である。上方被覆殻体５８は少なくとも１つのフィードバックモジュール５８０が設けられ（本実施形態は４つのフィードバックモジュール５８０を有する）、フィードバックモジュール５８０はバネ当接ブロック５８１とフィードバックバネ部材５８２を含み、バネ当接ブロック５８１の一部はフィードバックバネ部材５８２に嵌め込まれる。ここで、プッシュブロック５２３は２つのバネ当接ブロック５８１の間に設置される。上方中間部材５２がＬ型リンケージ５４を駆動して下に移動する時、プッシュブロック５２３は、左または右のバネ当接ブロック５８１を同時に押圧する。同時に、バネ当接ブロック５８１はフィードバックバネ部材５８２を圧迫し、フィードバックバネ部材５８２に戻る弾性力を生成させる。その後、その戻る弾性力により、上方中間部材５２は元の位置に戻る。従って、上方中間部材５２は第１収容体４１を駆動して第１収容体４１を元の位置に戻す。
【００４５】
要約すると、バブルウォータマシン３は、上方圧力ボトルが耐えられる内圧を調整することができ、ユーザは上方圧力ボトルの全ての部材を容易に洗浄することができる。また、バブルウォータマシン３の充気ボトル５６が圧力ボトル４の側辺に設置されるため、充気ボトル５６は、より多くの気体（二酸化炭素）を貯めることができる。
【符号の説明】
【００４６】
２１８１  第１収容溝
２１９    第１圧力開放部材
２１９１  第１螺合部材
２１９２  第１当接部材
２１９３  第１バネ部材
３        バブルウォータマシン
４        圧力ボトル
４０      キャップ
４０１    ベントスイッチ
４０２    キャップエアプラグ
４１      第１収容体
４１Ｌ    下端螺合部
４１Ｕ    上端螺合部
４２      第１接続ベース
４２１    第１ベントチャネル
４２２    キャップベントチャネル
４３      第１エアプラグ
４３１    第１圧力部材
４４      バルブ部材
４４１    第２ベントチャネル
４４２    バルブ螺合部
４４３    貯水空間
４５      第２エアプラグ
４５１    第２圧力部材
４６      回転圧力開放部材
４６１    第３ベントチャネル
４７      上方位置決め部材
４８      気体ガイド部材
４８０Ｕ  Ｕ型板状構造
４８０Ｌ  ストリップ板状構造
４８１    ガイドチャネル
４９      下方位置決め部材
４９０    止水栓
４９１    第１吸気通路
５        充気手段
５０      第２収容体
５１      第２接続ベース
５１Ｃ    円柱状ブロック
５２      上方中間部材
５２２    第１収容溝
５２３    プッシュブロック
５２Ｗ    Ｗ型構造
５３      下方中間部材
５３１    第３吸気チャネル
５３２    圧力開放部材
５３２１Ｈ  ベントホール
５３２２  螺合部材
５３２２Ｈ  貫通孔
５３２３  当接部
５３２４  バネ部材
５４      Ｌ型リンケージ
５５      気体ボトル始動スイッチ
５６      充気ボトル
５６Ｎ    気体ボトルシンブル
５６Ｐ    ジェットライン
５７      下方被覆殻体
５７１    直線状貫通孔
５８      上方被覆殻体
５８１    バネ当接ブロック
５８２    フィードバックバネ部材
８        液体
【図１】
2020199254.tif 000003
【図２】
2020199254.tif 000004
【図３Ａ】
2020199254.tif 000005
【図３Ｂ】
2020199254.tif 000006
【図３Ｃ】
2020199254.tif 000007
【図３Ｄ】
2020199254.tif 000008
【図３Ｅ】
2020199254.tif 000009
【図３Ｆ】
2020199254.tif 000010
【図３Ｇ】
2020199254.tif 000011
【図３Ｈ】
2020199254.tif 000012
【図３Ｉ】
2020199254.tif 000013
【図３Ｊ】
2020199254.tif 000014
【図３Ｋ】
2020199254.tif 000015
【図３Ｌ】
2020199254.tif 000016
【図４Ａ】
2020199254.tif 000017
【図４Ｂ】
2020199254.tif 000018
【図４Ｃ】
2020199254.tif 000019
【図４Ｄ】
2020199254.tif 000020
【図４Ｅ】
2020199254.tif 000021
【図４Ｆ】
2020199254.tif 000022
【図４Ｇ】
2020199254.tif 000023
【図４Ｈ】
2020199254.tif 000024
【図５Ａ】
2020199254.tif 000025
【図５Ｂ】
2020199254.tif 000026
【図５Ｃ】
2020199254.tif 000027
【図５Ｄ】
2020199254.tif 000028
【図６Ａ】
2020199254.tif 000029
【図６Ｂ】
2020199254.tif 000030